(57)【特許請求の範囲】
【請求項１】
第１の配電盤と、前記第１の配電盤を介して電力が供給される３以上の複数の第２の配電盤と、を備えた配電盤装置であって、
前記第１の配電盤に外部から引き込まれた導体と、
前記導体に接続されるとともに、分岐して前記第２の配電盤に接続される接続導体と、を備え、
前記第１の配電盤が備えたそれぞれの側面は平面であって、
前記第２の配電盤は、前記第１の配電盤の周囲に、前記側面に接して、前記側面に複数配置されていることを特徴とする配電盤装置。
【請求項２】
前記複数の第２の配電盤の隣り合った側面は接していることを特徴とする請求項１に記載の配電盤装置。
【請求項３】
第１の配電盤と、前記第１の配電盤を介して電力が供給される３以上の複数の第２の配電盤と、を備えた配電盤装置であって、
前記第１の配電盤に外部から引き込まれた導体と、
前記導体に接続されるとともに、分岐して前記第２の配電盤に接続される接続導体と、を備え、
前記複数の第２の配電盤は、前記第１の配電盤の周囲に配置されているとともに、
複数の前記第１の配電盤が隣接して配置されていることを特徴とする配電盤装置。
【請求項４】
第１の配電盤と、前記第１の配電盤を介して電力が供給される３以上の複数の第２の配電盤と、を備えた配電盤装置であって、
前記第１の配電盤に外部から引き込まれた導体と、
前記導体に接続されるとともに、分岐して前記第２の配電盤に接続される接続導体と、を備え、
前記複数の第２の配電盤は、前記第１の配電盤の上面において、前記第１の配電盤の中心周りに配置されていることを特徴とする配電盤装置。
【発明の詳細な説明】
【技術分野】
【０００１】
本願は、配電盤装置に関するものである。
【背景技術】
【０００２】
工場、上下水道、または発電所などのプラントで使用されるポンプまたは機械類などの稼動にはモータが多数使用されている。これらのモータ群の制御、保護、計測、監視を一箇所で集中管理するために、制御装置をユニット化した機能ユニットを複数収納した配電盤として、例えばコントロールセンタが広く用いられている。モータ群に対して電気制御を行うために、複数の配電盤がプラント内の電気室に配置される。配電盤における各機能ユニットへの給電は、配電盤が備える水平導体および垂直導体を介して行われる。水平導体は、上位の電力供給源から供給された電力を水平導体に接続された垂直導体に供給する。垂直導体は、各機能ユニットに電力を分岐する。各機能ユニットに設けられた接触子は、垂直導体に接続される。【０００３】
複数の配電盤の配列としては、盤幅方向に一列に配置した構成が開示されている（例えば、特許文献１参照）。配電盤を一列に配置した場合、少なくとも一つの配電盤において上位の電力供給源から受電した電力が、各配電盤の内部の水平導体を介して、他の配電盤に供給される。配電盤は一列に配置されているため、配電盤内の水平導体と隣接する他の配電盤内の水平導体とを接続する接続導体が設けられる。
【先行技術文献】
【特許文献】
【０００４】
【特許文献１】特開２０１８−９８８６７号公報
【発明の概要】
【発明が解決しようとする課題】
【０００５】
上記特許文献１における配置では、配電盤の内部に水平導体と、水平導体間を接続する接続導体が必要になる。しかしながら、水平導体と接続導体とを設けた場合、使用される導体が多くなるため、導体への通電によるジュール熱および導体周辺に配置された構造物への誘導加熱などにより、導体温度および周辺の空気温度が上昇し、ひいては配電盤の内部の温度が上昇するという課題があった。温度上昇に起因して、機能ユニットの収納数および機能ユニット内の制御装置数が制限されることになる。【０００６】
また、複数の配電盤を盤幅方向に一列に配置した場合、配電盤の左右の側面は隣の配電盤と接しているため、左右側面からの輻射による放熱は行われず、配電盤の内部の温度が上昇するという課題があった。【０００７】
本願は前記のような課題を解決するためになされたものであり、配電盤の内部の温度上昇を抑制した配電盤装置を得ることを目的とする。
【課題を解決するための手段】
【０００８】
本願に開示される配電盤装置は、第１の配電盤と、前記第１の配電盤を介して電力が供給される３以上の複数の第２の配電盤と、を備えた配電盤装置であって、前記第１の配電盤に外部から引き込まれた導体と、前記導体に接続されるとともに、分岐して前記第２の配電盤に接続される接続導体とを備え、前記第１の配電盤が備えたそれぞれの側面は平面であって、前記第２の配電盤は、前記第１の配電盤の周囲に、前記側面に接して、前記側面に複数配置されている。
【発明の効果】
【０００９】
本願に開示される配電盤装置によれば、配電盤の内部の温度上昇を抑制することができる。
【図面の簡単な説明】
【００１０】
【図１】実施の形態１に係る配電盤装置の外観を示す斜視図である。
【図２】実施の形態１に係る配電盤装置の上面図である。
【図３】実施の形態１に係る配電盤装置が備えた第１の配電盤の外観を示す斜視図である。
【図４】実施の形態１に係る配電盤装置が備えた第１の配電盤内部の構成概略を示す斜視図である。
【図５】実施の形態１に係る配電盤装置の一部の導体接続構造の概略を示す斜視図である。
【図６】実施の形態１に係る配電盤装置が備えた分岐用導体の概略を示す斜視図である。
【図７】実施の形態１に係る別の配電盤装置の上面図である。
【図８】実施の形態２に係る配電盤装置の外観を示す斜視図である。
【図９】実施の形態２に係る配電盤装置の一部の導体接続構造の概略を示す斜視図である。
【図１０】実施の形態３に係る配電盤装置の外観を示す斜視図である。
【図１１】実施の形態３に係る配電盤装置の上面図である。
【図１２】実施の形態３に係る別の配電盤装置の上面図である。
【図１３】実施の形態３に係る配電盤装置が備えた分岐用導体の概略を示す斜視図である。
【図１４】実施の形態４に係る配電盤装置の上面図である。
【図１５】実施の形態４に係る配電盤装置が備えた第１の配電盤の外観を示す斜視図である。
【図１６】実施の形態４に係る別の配電盤装置の上面図である。
【図１７】実施の形態４に係る別の配電盤装置の上面図である。
【図１８】実施の形態５に係る配電盤装置の上面図である。
【図１９】実施の形態６に係る配電盤装置の上面図である。
【図２０】実施の形態６に係る別の配電盤装置の上面図である。
【発明を実施するための形態】
【００１１】
以下、本願の実施の形態による配電盤装置を図に基づいて説明するが、各図において同一、または相当部材、部位については同一符号を付して説明する。
【００１２】
実施の形態１．
図１は配電盤装置１００の外観を示す斜視図、図２は配電盤装置１００の上面図である。配電盤装置１００は、第１の配電盤１と、第１の配電盤１を介して電力が供給される５つの第２の配電盤２とを備える。５つの第２の配電盤２は、第１の配電盤１の中心２０周りに配置されている。第１の配電盤１から第２の配電盤２の内部の垂直導体２ｂに接続導体３を介して電力が供給される。接続導体３は、第１の配電盤１に外部から引き込まれた導体に接続されるとともに、分岐して第２の配電盤２に接続される。図２において、第２の配電盤２の内部には１つの垂直導体２ｂのみを示し、その垂直導体２ｂと接続される１つの接続導体３のみを模式的に示しているが、接続導体３および垂直導体２ｂの本数は第１の配電盤１に引き込まれる極数に応じた数になる。第１の配電盤１の側面１ａと対向する５つの第２の配電盤２のそれぞれの側面２ａは、第１の配電盤１と接している。配電盤装置１００は、第２の配電盤２が例えばモータ群に対して電気制御を行うために、プラント内の電気室に配置される。なお、第１の配電盤１に外部から引き込まれる導体は、第２の配電盤２を介して引き込まれていても構わない。
【００１３】
第１の配電盤１について説明する。図３は配電盤装置１００が備えた第１の配電盤１の外観を示す斜視図、図４は第１の配電盤１の内部の構成概略を示す斜視図、図５は配電盤装置１００の一部の導体接続構造の概略を示す斜視図である。第１の配電盤１は引込受電用の配電盤である。第１の配電盤１の筐体の形状は六角柱で、第１の配電盤１が備えた６つの側面１ａは平面である。６つの側面１ａのうち、５つの側面１ａのそれぞれに接して第２の配電盤２が配置される。図２に示すように、第２の配電盤２が配置されない側面は作業者等が第１の配電盤１を操作するための操作面１ｂである。作業者は、例えば第１の配電盤１が内部に備えた遮断器７の遮断の操作を、操作面１ｂから行う。
【００１４】
第１の配電盤１には、図４に示すように、外部の電力供給源（図示せず）から３極分の導体が１次側導体５として引込まれる。図４では下方から第１の配電盤１の内部に１次側導体５が引込まれる構成を示しているがこれに限るものではなく、第１の配電盤１の上方から１次側導体５が引き込まれる構成でも構わない。また、１次側導体５の極数は３極に限るものではなく４極でも構わない。１次側導体５は遮断器７に接続され、遮断器７から２次側導体６が引き出される。２次側導体６のそれぞれの端部には、分岐用導体４が設けられる。分岐用導体４の具体的な構造の例を図６に示す。図６は分岐用導体４の概略を示す斜視図である。分岐用導体４は、例えば導電性を備えた金属の板で形成される。分岐用導体４は、２次側導体６に接続される接続部４ａ、および接続部４ａから分かれて伸長された分岐部４ｂを有する。接続部４ａは中央に４つの接続穴４ｃを備え、この穴を用いて２次側導体６が例えばねじ止めして接続される。図５に示すように、一端が分岐部４ｂ、他端が第２の配電盤２の垂直導体２ｂに接続された複数の接続導体３が設けられる。接続導体３は、配置された第２の配電盤２の数に応じて設けられる。図５では、隣接して配置された２つの第２の配電盤２に電力を供給する分岐用導体４と接続導体３を示す。極数に応じた本数（本実施の形態では３本）の接続導体３が、１つの第２の配電盤２と接続される。図６に示すように、分岐部４ｂは２つの接続穴４ｄを備え、それぞれの穴を用いて接続導体３が例えばねじ止めして接続される。分岐用導体４を用いることで、配置された第２の配電盤２の数に応じて、複数の第２の配電盤２は第１の配電盤１と並列に接続される。
【００１５】
第２の配電盤２について説明する。第２の配電盤２は、モータ群の制御、保護、計測、監視を一箇所で集中管理するために、図１に示すように、制御装置をユニット化した機能ユニット８を複数収納している。機能ユニット８の外部に露出した前面は、作業者等が機能ユニット８を操作するための操作面８ａである。図１では１つの第２の配電盤２に、５つの機能ユニット８が収納されているが、機能ユニット８の収納数および大きさはこれに限るものではない。機能ユニット８の背面側に設けた接触子（図示せず）と垂直導体２ｂとが接続され、機能ユニット８に電力が供給される。
【００１６】
なお、図１には筐体の形状を六角柱とした第１の配電盤１について示し、５つの側面１ａに第２の配電盤２を配置したが第１の配電盤１の形状はこれに限るものではなく、例えば周囲に配置する第２の配電盤２の数に応じて、五角柱、直方体としても構わない。
【００１７】
また、複数の第２の配電盤２のそれぞれの側面２ａは、第１の配電盤１の側面１ａと接する構成としたがこれに限るものではなく、図７に示すように、第１の配電盤１の側面１ａと対向する５つの第２の配電盤２のそれぞれの側面２ａは第１の配電盤１と離間していても構わない。接続導体３は第１の配電盤１と第２の配電盤２との間で一部が露出して配置されるため、露出した箇所には絶縁体で形成された保護体３ａが付与される。このように複数の第２の配電盤２を配置することで、第２の配電盤２において外部に露出される面積が増加するため、第２の配電盤２からの輻射による放熱が促進される。
【００１８】
以上のように、実施の形態１による配電盤装置１００は、複数の第２の配電盤２を第１の配電盤１の中心２０周りに配置し、第１の配電盤１から第２の配電盤２に接続導体３を介して電力が直接供給されるため、従来の一列の配置で必要であった水平導体が不要となり、配電盤装置１００の内部の温度上昇を抑制することができる。また、第２の配電盤２は１つの側面でのみ第１の配電盤１の側面１ａと接しているため、第２の配電盤２の露出する面積が増加し、第２の配電盤２からの輻射による放熱は促進され、配電盤装置１００の内部の温度上昇を抑制することができる。また、複数の第２の配電盤２を第１の配電盤１の周囲に配置したため、従来の一列の配置で必要であった盤幅方向に著しく長い床面が電気室に不要となり、電気室の形状、および広さに応じて配電盤装置１００の配列の自由度を向上させることができる。また、第１の配電盤１が備えたそれぞれの側面１ａが平面で、複数の第２の配電盤２を第１の配電盤１の周囲に側面１ａと接して配置した場合、配電盤装置１００を設置した床面に対して平行な方向の衝撃に対する配電盤装置１００の耐震性を向上させることができる。
【００１９】
実施の形態２．
実施の形態２に係る配電盤装置１００について説明する。図８は配電盤装置１００の外観を示す斜視図である。実施の形態２に係る配電盤装置１００は、第１の配電盤１の上面１ｃにおいて、第１の配電盤１の中心２０周りに複数の第２の配電盤２が配置された構成になっている。
【００２０】
実施の形態１では、第２の配電盤２を第１の配電盤１の周囲の側面１ａに配置したが、第１の配電盤１から第２の配電盤２に電力を直接供給できれば、第２の配電盤２の配置は第１の配電盤１の側面１ａに限るものではない。図８に示すように、複数の第２の配電盤２を第１の配電盤１の上面１ｃに配置しても構わない。連結部９は、第２の配電盤２の転倒を防止するために、例えばねじ止めにより、複数の第２の配電盤２と連結される板である。なお、連結部９は複数の第２の配電盤２の全体を覆う板でなくてもよく、隣り合う第２の配電盤２を連結する大きさの板でも構わない。
【００２１】
また、分岐用導体４を実施の形態１と同様に第１の配電盤１の内部に設けてもよいが、分岐用導体４の設置箇所はこれに限るものではなく、図９に示すように、複数の第２の配電盤２に囲まれる第１の配電盤１の上方の空間２１に設けても構わない。なお図９では、分岐用導体４を示すために２つの第２の配電盤２のみを配置しているが、この第１の配電盤１の形状では６つの第２の配電盤２を上面１ｃに配置することができる。
【００２２】
以上のように、実施の形態２による配電盤装置１００は、複数の第２の配電盤２が第１の配電盤１の上面１ｃに配置されるため、第２の配電盤２において外部に露出される面積が増加し、第２の配電盤２からの輻射による放熱は促進され、配電盤装置１００の内部の温度上昇を抑制することができる。
【００２３】
実施の形態３．
実施の形態３に係る配電盤装置１００について説明する。図１０は配電盤装置１００の外観を示す斜視図、図１１は配電盤装置１００の上面図である。実施の形態３に係る配電盤装置１００は、第１の配電盤１の側面１ａに２つの第２の配電盤２が配置された構成になっている。
【００２４】
第１の配電盤１について説明する。第１の配電盤１の筐体の形状は直方体で、４つの側面１ａは平面である。６つの第２の配電盤２は、第１の配電盤１の中心２０周りに配置される。第２の配電盤２が配置されない側面１ａは、作業者等が第１の配電盤１を操作するための操作面１ｂである。作業者は、例えば第１の配電盤１が内部に備えた遮断器の遮断の操作を、操作面１ｂから行う。
【００２５】
第２の配電盤２について説明する。第１の配電盤１の４つの側面１ａのうち、３つの側面１ａのそれぞれに２つの第２の配電盤２が配置される。１つの側面１ａに配置される２つの第２の配電盤２は、図１１に示すように、操作面８ａが向き合わないように配置される。作業者等が操作面８ａを容易に目視でき、かつ機能ユニット８の操作面８ａから行う操作を円滑に行うためである。また、１つの側面１ａに配置される２つの第２の配電盤２の対向する側面２ａは、離間して配置され、面積の小さい側面２ｃで第１の配電盤１に接している。このように２つの第２の配電盤２を配置することで、第２の配電盤２において外部に露出される面積が増加するため、第２の配電盤２からの輻射による放熱が促進される。第２の配電盤２の内部に設けた垂直導体２ｂに、第１の配電盤１から接続導体３を介して電力が直接供給される。
【００２６】
なお、１つの側面１ａに配置される２つの第２の配電盤２の対向する側面２ａを離間して配置したが２つの第２の配電盤２の配置はこれに限るものではなく、図１２に示すように、第２の配電盤２の対向する側面２ａを接して配置しても構わない。このように配置することで、配電盤装置１００の設置スペースの縮小化を図ることができる。また、第２の配電盤２の対向する側面２ａの双方に設けていた板状のカバーの少なくとも一方は不要となる。
【００２７】
また、本実施の形態に用いる分岐用導体４の具体的な構造の例を図１３に示す。図１３は分岐用導体４の概略を示す斜視図である。分岐用導体４は、例えば導電性を備えた金属の板から曲げ加工により形成される。図１３に示した破線矢印の方向に第２の配電盤２が配置されており、その方向に接続導体３が接続穴４ｄを利用して分岐部４ｂに設けられる。
【００２８】
以上のように、実施の形態３による配電盤装置１００では、第１の配電盤１の１つの側面１ａに２つの第２の配電盤２が配置されているため、第１の配電盤１が側面１ａの数が少ない筐体形状であっても、側面１ａの数以上の数の第２の配電盤２を第１の配電盤１の周囲に配置することができる。また、１つの側面１ａに配置される２つの第２の配電盤２の対向する側面２ａを離間して配置した場合、第２の配電盤２において外部に露出される面積が増加するため、第２の配電盤２からの輻射による放熱を促進することができる。
【００２９】
実施の形態４．
実施の形態４に係る配電盤装置１００について説明する。図１４は配電盤装置１００の上面図、図１５は配電盤装置１００が備えた第１の配電盤１の外観を示す斜視図である。実施の形態４に係る配電盤装置１００は、第１の配電盤１の側面１ａが曲面になっている。
【００３０】
第１の配電盤１について説明する。第１の配電盤１の筐体の形状は、図１５に示すように円柱で、第１の配電盤１が備えた側面１ａは曲面である。図１４に示すように、側面１ａを取り囲んで、第１の配電盤１の中心２０周りに５つの第２の配電盤２が配置される。第２の配電盤２が配置されない側面は、作業者等が第１の配電盤１を操作するための操作面１ｂである。作業者は、例えば第１の配電盤１が内部に備えた遮断器の遮断の操作を、操作面１ｂから行う。
【００３１】
第２の配電盤２について説明する。第２の配電盤２は、操作面８ａが外側を向くように配置される。作業者等が操作面８ａを容易に目視でき、かつ機能ユニット８の操作面８ａから行う操作を円滑に行うためである。第２の配電盤２は、操作面８ａの背面である側面２ａの一部が側面１ａと接するように配置される。側面１ａが曲面であるため、第２の配電盤２において外部に露出される面積が増加し、第２の配電盤２からの輻射による放熱が促進される。また側面１ａが曲面であるため、第２の配電盤２の配置の自由度が向上し、配電盤装置１００の設置後に第１の配電盤１の外形の大きさに応じて第２の配電盤２の増設することも可能である。
【００３２】
なお、図１４には筐体の形状を円柱とした第１の配電盤１について示し、側面１ａに５つの第２の配電盤２を配置したが第１の配電盤１の形状はこれに限るものではなく、例えば図１６に示すように、第１の配電盤１が設置された床面に対して平行な第１の配電盤１の断面の形状が楕円形であっても構わない。配電盤装置１００を配置する電気室の形状に応じて、第１の配電盤１の形状および第２の配電盤２の配置を決定することができる。また、操作面８ａが外側を向くように第２の配電盤２を配置したが第２の配電盤２の配置はこれに限るものではなく、例えば図１７に示すように、操作面８ａが側面１ａに対して垂直となるように配置しても構わない。垂直な配置であれば、より多くの第２の配電盤２を配置することができる。操作面８ａが対向するように配置された場合、配電盤装置１００を周回することなく、作業者等は操作面８ａを目視できる。
【００３３】
以上のように、実施の形態４による配電盤装置１００では、第１の配電盤１の側面１ａが曲面であるため、第２の配電盤２の配置の自由度を向上させることができる。また、第２の配電盤２の露出する面積が増加するため、第２の配電盤２からの輻射による放熱を促進することができる。操作面８ａが側面１ａに対して垂直となるように第２の配電盤２を配置した場合、より多くの第２の配電盤２を配置することができる。
【００３４】
実施の形態５．
実施の形態５に係る配電盤装置１００について説明する。図１８は配電盤装置１００の上面図である。実施の形態５に係る配電盤装置１００は、２つの第１の配電盤１０、１１を備えている。
【００３５】
第１の配電盤１０、１１について説明する。配電盤装置１００は、２つの第１の配電盤１０、１１が隣接して配置されている。第１の配電盤１０、１１は引込受電用の配電盤である。第１の配電盤１０、１１の筐体の形状は六角柱で、それぞれの６つの側面１ａは平面である。第１の配電盤１０は、６つの側面１ａのうち５つの側面１ａのそれぞれに第２の配電盤２が配置される。第１の配電盤１０は、第２の配電盤２が配置されていない側面１ａで、第１の配電盤１１と接している。第１の配電盤１１は、６つの側面１ａのうち３つの側面１ａのそれぞれに第２の配電盤２が配置される。第２の配電盤２が配置されない側面１ａは、作業者等が第１の配電盤１０、１１を操作するための操作面１ｂである。作業者は、例えば第１の配電盤１０、１１が内部に備えた遮断器の遮断の操作を、操作面１ｂから行う。
【００３６】
なお、図１８では２つの第１の配電盤１０、１１を隣接して配置したが隣接させる第１の配電盤の盤数はこれに限るものではなく、さらに複数の第１の配電盤を隣接して配置し、第２の配電盤２が配置できる側面１ａを増加させても構わない。また、例えば電気室の形状または配置する第２の配電盤２の数に応じて、異なる形状の複数の第１の配電盤を隣接して配置させても構わない。
【００３７】
以上のように、実施の形態５による配電盤装置１００では、２つの第１の配電盤１０、１１が隣接して配置されているため、第２の配電盤２を配置できる側面１ａを増加させることができる。
【００３８】
実施の形態６．
実施の形態６に係る配電盤装置１００について説明する。図１９は配電盤装置１００の上面図である。実施の形態６に係る配電盤装置１００は、第１の配電盤１が実施の形態１と同様で、第２の配電盤２の形状が実施の形態１と異なっている。
【００３９】
第２の配電盤２について説明する。５つの第２の配電盤２が、第１の配電盤１の中心２０周りに配置される。第２の配電盤２の筐体の形状は六角柱で、５つの第２の配電盤２の隣り合ったそれぞれの側面２ｄは接している。第２の配電盤２はハニカム状に配置されており、無駄な空間を排して一体化した配電盤装置１００を電気室に設けることができる。
【００４０】
なお、図１９では第２の配電盤２の筐体の形状を六角柱として隣り合う側面２ｄを接する構造としていたが第２の配電盤２の筐体の形状はこれに限るものではなく、例えば図２０に示すように、第２の配電盤２が設置された床面に対して平行な第２の配電盤２の断面の形状が正多角形でなくても構わない。
【００４１】
以上のように、実施の形態６による配電盤装置１００では、第１の配電盤１の周囲に配置した５つの第２の配電盤２の隣り合った側面２ｄは接しているため、配電盤装置１００を設置した床面に対して平行な方向の衝撃は相互に接して設けられた第２の配電盤２にも分散し、衝撃の分散方向が多くなり、配電盤装置１００の耐震性を向上させることができる。また、第２の配電盤２同士の隣り合った側面２ｄは接しているため、無駄な空間を排して一体化した配電盤装置１００を電気室に設けることができる。
【００４２】
また本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００４３】
１  第１の配電盤、１ａ  側面、１ｂ  操作面、１ｃ  上面、２  第２の配電盤、２ａ  側面、２ｂ  垂直導体、２ｃ  側面、２ｄ  側面、３  接続導体、３ａ  保護体、４  分岐用導体、４ａ  接続部、４ｂ  分岐部、４ｃ  接続穴、４ｄ  接続穴、５  １次側導体、６  ２次側導体、７  遮断器、８  機能ユニット、８ａ  操作面、９  連結部、１０  第１の配電盤、１１  第１の配電盤、２０  中心、２１  空間、１００  配電盤装置
【要約】
第１の配電盤（１）と、第１の配電盤（１）を介して電力が供給される複数の第２の配電盤（２）と、を備えた配電盤装置（１００）であって、第１の配電盤（１）に外部から引き込まれた導体と、導体に接続されるとともに、分岐して第２の配電盤（２）に接続される接続導体（３）とを備え、複数の第２の配電盤（２）は、第１の配電盤（１）の中心周りに配置されている。【図１】
0006771702.tif 000002
【図２】
0006771702.tif 000003
【図３】
0006771702.tif 000004
【図４】
0006771702.tif 000005
【図５】
0006771702.tif 000006
【図６】
0006771702.tif 000007
【図７】
0006771702.tif 000008
【図８】
0006771702.tif 000009
【図９】
0006771702.tif 000010
【図１０】
0006771702.tif 000011
【図１１】
0006771702.tif 000012
【図１２】
0006771702.tif 000013
【図１３】
0006771702.tif 000014
【図１４】
0006771702.tif 000015
【図１５】
0006771702.tif 000016
【図１６】
0006771702.tif 000017
【図１７】
0006771702.tif 000018
【図１８】
0006771702.tif 000019
【図１９】
0006771702.tif 000020
【図２０】
0006771702.tif 000021